(57)【要約】【課題】構造が複雑になるのを抑制しながら、バンド部を容易に増し締めすることが可能な結束バンドを提供する。【解決手段】この結束バンド１００（結束バンド）は、複数のバンド爪１１ａが設けられたバンド部１１と、バンド部１１の長手方向の一端に設けられた頭部３１とを備え、頭部３１は、バンド部１１のバンド爪１１ａに係合してバンド部１１を固定するロック爪３２２を有する頭部本体３２と、頭部本体３２に切断可能に接続され、頭部本体３２に対して増し締め方向に引っ張られることにより頭部本体３２から切断されてバンド部１１を増し締め方向に送る増し締め部３３とを含む【選択図】図３
2013113330.tif 000002
【特許請求の範囲】
【請求項１】
複数のバンド爪が設けられたバンド部と、
前記バンド部の長手方向の一端に設けられた頭部とを備え、
前記頭部は、前記バンド部のバンド爪に係合して前記バンド部を固定するロック爪を有する頭部本体と、前記頭部本体に切断可能に接続され、前記頭部本体に対して増し締め方向に引っ張られることにより前記頭部本体から切断されて前記バンド部を増し締め方向に送る増し締め部とを含む、結束バンド。
【請求項２】
前記増し締め部は、切断可能な第１接続部を介して前記頭部本体に一体的に設けられている、請求項１に記載の結束バンド。
【請求項３】
前記切断可能な第１接続部は、薄肉形状に形成されている、請求項２に記載の結束バンド。
【請求項４】
前記第１接続部は、前記増し締め部が増し締め方向に引っ張られる際に、前記増し締め部が前記頭部本体から完全に分離するように前記頭部本体から切断されるように構成されている、請求項２または３に記載の結束バンド。
【請求項５】
前記第１接続部は、前記バンド部を挟むように前記バンド部に対して対称に配置されている、請求項２〜４のいずれか１項に記載の結束バンド。
【請求項６】
前記第１接続部は、前記バンド部の増し締め方向において、前記バンド部の前記バンド爪の長さよりも小さい長さを有する、請求項２〜５のいずれか１項に記載の結束バンド。
【請求項７】
前記増し締め部は、前記バンド部の増し締め方向における前記頭部本体の前側の位置に設けられている、請求項１〜６のいずれか１項に記載の結束バンド。
【請求項８】
前記頭部本体には、前記増し締め部の増し締め方向の後ろの面をユーザの指が当接可能なように露出させる開口部が設けられている、請求項７に記載の結束バンド。
【請求項９】
前記増し締め部は、前記バンド爪と係合するとともに、前記頭部本体に対して増し締め方向に引っ張られることにより前記バンド部を増し締め方向に送る送り爪を含む、請求項１〜８のいずれか１項に記載の結束バンド。
【請求項１０】
前記頭部本体のロック爪および前記増し締め部の送り爪は、それぞれ、爪部を有しており、
前記送り爪の爪部および前記ロック爪の爪部は、互いに、略同一の爪形状を有している、請求項９に記載の結束バンド。
【請求項１１】
前記バンド部は、両面にそれぞれ複数のバンド爪を含み、
前記送り爪と前記ロック爪とは、それぞれ、前記バンド部を挟むように前記バンド部の両面のそれぞれの面に係合するように前記増し締め部と前記頭部本体とに設けられている、請求項９または１０に記載の結束バンド。
【請求項１２】
前記増し締め部は、切断可能な第１接続部と前記第１接続部よりも断面積が大きい第２接続部とを介して前記頭部本体に接続されており、
前記増し締め部は、前記増し締め部が増し締め方向に引っ張られる際に、前記第１接続部が前記頭部本体から切断されるとともに前記第２接続部が前記頭部本体との接続を維持することによって、前記頭部本体に部分的に接続された状態となるように構成されている、請求項１〜３のいずれか１項に記載の結束バンド。
【請求項１３】
前記増し締め部は、前記バンド爪と係合しバンド部を増し締め方向に送る送り爪を含み、
前記送り爪は、撓み変形可能な薄肉部を有し、
前記送り爪は、前記増し締め部が前記頭部本体から分離しないように前記第２接続部が前記頭部本体との接続を維持した状態で増し締め方向に引っ張られる際には、前記バンド部のバンド爪と係合して前記バンド部を増し締め方向に送り、前記増し締め部が前記頭部本体から分離しないように前記第２接続部が前記頭部本体との接続を維持した状態で増し締め方向と反対方向に移動される際には、前記薄肉部が撓み変形することにより前記バンド部のバンド爪との係合が解除されて前記バンド部の増し締め方向と反対方向に移動され、再度、前記増し締め部が増し締め方向に引っ張られることにより前記バンド部を再度増し締め方向に送ることができるように構成されている、請求項１２に記載の結束バンド。
【発明の詳細な説明】
【技術分野】
【０００１】
この発明は、結束バンドに関し、特に、バンド部のバンド爪に係合してバンド部を固定する頭部を備えた結束バンドに関する。
【背景技術】
【０００２】
従来、バンド部のバンド爪に係合してバンド部を固定する頭部を備えた結束バンドが知られている（たとえば、特許文献１参照）。
【０００３】
上記特許文献１には、複数の歯（バンド爪）が設けられた樹脂製バンド（バンド部）と、樹脂製バンドの長手方向の一端に取り付けられ、樹脂製バンドの歯に係合して樹脂製バンドを固定する戻止め爪（ロック爪）を有するバンド用留め具（頭部）とを備えた結束バンドが開示されている。この結束バンドのバンド用留め具は、戻止め爪が設けられた基体と、基体に対して回動可能なように基体の切欠に嵌め込まれたカバー体とにより構成されている。また、カバー体には、カバー体が基体に対して回動されることにより樹脂製バンドの歯に係合して樹脂製バンドを増し締め方向に刻み送りする爪車が設けられている。そして、上記特許文献１の結束バンドでは、カバー体を複数回繰り返して回動させることにより樹脂製バンドを増し締めすることが可能である。
【先行技術文献】
【特許文献】
【０００４】
【特許文献１】特開２０００−２４０６１８号公報
【発明の概要】
【発明が解決しようとする課題】
【０００５】
しかしながら、上記特許文献１の結束バンドでは、樹脂製バンド（バンド部）を増し締め可能である一方、カバー体を複数回繰り返して回動させる必要があるので、増し締め作業に手間がかかるという問題点がある。また、爪車をカバー体に設けるとともに、カバー体を基体の切欠に嵌め込んで基体に対して回動可能なように設ける必要があるので、結束バンドの構造が複雑になるという問題点がある。
【０００６】
この発明は、上記のような課題を解決するためになされたものであり、この発明の１つの目的は、構造が複雑になるのを抑制しながら、バンド部を容易に増し締めすることが可能な結束バンドを提供することである。
【課題を解決するための手段】
【０００７】
この発明の一の局面による結束バンドは、複数のバンド爪が設けられたバンド部と、バンド部の長手方向の一端に設けられた頭部とを備え、頭部は、バンド部のバンド爪に係合してバンド部を固定するロック爪を有する頭部本体と、頭部本体に切断可能に接続され、頭部本体に対して増し締め方向に引っ張られることにより頭部本体から切断されてバンド部を増し締め方向に送る増し締め部とを含む。
【０００８】
この発明の一の局面による結束バンドでは、上記のように、頭部本体に切断可能に接続するとともに、頭部本体に対して増し締め方向に引っ張られることにより頭部本体から切断されてバンド部を増し締め方向に送る増し締め部を設けることによって、増し締め時に、増し締め部を増し締め方向に引っ張って頭部本体から切断するだけでバンド部を増し締め方向に移動させることができるので、バンド部を容易に増し締めすることできる。また、バンド部を増し締め方向に送る増し締め部を頭部本体に切断可能に接続するだけの簡易な構造によりバンド部を増し締めすることができるので、バンド部を増し締めするために、結束バンドの構造が複雑になるのを抑制することができる。したがって、この結束バンドでは、構造が複雑になるのを抑制しながら、バンド部を容易に増し締めすることができる。
【０００９】
上記一の局面による結束バンドにおいて、好ましくは、増し締め部は、切断可能な第１接続部を介して頭部本体に一体的に設けられている。このように構成すれば、増し締め部を頭部本体と別個に設ける場合とは異なり、部品点数の増加を抑制することができる。
【００１０】
この場合、好ましくは、切断可能な第１接続部は、薄肉形状に形成されている。このように構成すれば、増し締め部を引っ張ることにより、薄肉形状の第１接続部を容易に切断することができるので、容易にバンド部を任意の締め付け力で増し締めすることができる。
【００１１】
上記増し締め部が頭部本体に一体的に設けられている構成において、好ましくは、第１接続部は、増し締め部が増し締め方向に引っ張られる際に、増し締め部が頭部本体から完全に分離するように頭部本体から切断されるように構成されている。このように構成すれば、頭部本体に対する増し締め部の移動量を容易に大きくすることができるので、バンド部の増し締め量を容易に大きくすることができる。
【００１２】
上記増し締め部が頭部本体に一体的に設けられている構成において、好ましくは、第１接続部は、バンド部を挟むようにバンド部に対して対称に配置されている。このように構成すれば、増し締め部を頭部本体から切断する際にバンド部を引っ張る方向の力を加えた場合に、バンド部を挟むように対称配置された第１接続部にバンド部を引っ張る方向に均等に切断力が働くので、容易に第１接続部を切断することができる。
【００１３】
上記増し締め部が頭部本体に一体的に設けられている構成において、好ましくは、第１接続部は、バンド部の増し締め方向において、バンド部のバンド爪の長さよりも小さい長さを有する。このように構成すれば、第１接続部の長さが小さくなるので、増し締め部を引っ張った際に第１接続部が切断されるまでの第１接続部の伸び量を小さくすることができる。これにより、増し締め部を頭部本体から切断する際に増し締め部を頭部本体に対して少しの量引っ張るだけで容易に切断することができる。
【００１４】
上記一の局面による結束バンドにおいて、好ましくは、増し締め部は、バンド部の増し締め方向における頭部本体の前側の位置に設けられている。このように構成すれば、増し締め部を頭部本体に対して増し締め方向に容易に引っ張ることができるので、容易に任意の締め付け力で増し締めすることができる。
【００１５】
この場合、好ましくは、頭部本体には、増し締め部の増し締め方向の後ろの面をユーザの指が当接可能なように露出させる開口部が設けられている。このように構成すれば、ユーザは開口部に指を挿入して増し締め部を容易に把持することができるので増し締め部をより容易に引っ張ることができる。
【００１６】
上記一の局面による結束バンドにおいて、好ましくは、増し締め部は、バンド爪と係合するとともに、頭部本体に対して増し締め方向に引っ張られることによりバンド部を増し締め方向に送る送り爪を含む。このように構成すれば、増し締め部の送り爪をバンド部のバンド爪に係合させて確実にバンド部を増し締め方向に送ることができる。
【００１７】
上記増し締め部が送り爪を含む構成において、好ましくは、頭部本体のロック爪および増し締め部の送り爪は、それぞれ、爪部を有しており、送り爪の爪部およびロック爪の爪部は、互いに、略同一の爪形状を有している。このように構成すれば、送り爪の爪部をバンド部のバンド爪に容易に係合させることができるので、容易に、増し締め部の送り爪をバンド部のバンド爪に係合させて確実にバンド部を増し締め方向に送ることができる。
【００１８】
上記増し締め部が送り爪を含む構成において、好ましくは、バンド部は、両面にそれぞれ複数のバンド爪を含み、送り爪とロック爪とは、それぞれ、バンド部を挟むようにバンド部の両面のそれぞれの面に係合するように増し締め部と頭部本体とに設けられている。このように構成すれば、バンド部の両面にバンド爪を設けた構成において、バンド部を任意の締め付け力で増し締めすることできる。
【００１９】
上記一の局面による結束バンドにおいて、好ましくは、増し締め部は、切断可能な第１接続部と第１接続部よりも断面積が大きい第２接続部とを介して頭部本体に接続されており、増し締め部は、増し締め部が増し締め方向に引っ張られる際に、第１接続部が頭部本体から切断されるとともに第２接続部が頭部本体との接続を維持することによって、増し締め部は頭部本体に部分的に接続された状態となるように構成されている。このように構成すれば、増し締め部と頭部本体との接続を維持する第２接続部により、増し締め部を引っ張った際の頭部本体に対する増し締め部の１回の移動量を制限してバンド部を増し締め方向に送ることができるので、増し締め量の微調整を容易に行うことができる。また、第２接続部により増し締め部と頭部本体との接続が維持されるので、増し締め部が頭部本体から大きく離間するのが抑制されて増し締め後も増し締め部を頭部本体の近傍に配置することができる。
【００２０】
この場合、好ましくは、増し締め部は、バンド爪と係合しバンド部を増し締め方向に送る送り爪を含み、送り爪は、撓み変形可能な薄肉部を有し、送り爪は、増し締め部が頭部本体から分離しないように第２接続部が頭部本体との接続を維持した状態で増し締め方向に引っ張られる際には、バンド部のバンド爪と係合してバンド部を増し締め方向に送り、増し締め部が頭部本体から分離しないように第２接続部が頭部本体との接続を維持した状態で増し締め方向と反対方向に移動される際には、薄肉部が撓み変形することによりバンド部のバンド爪との係合が解除されてバンド部の増し締め方向と反対方向に移動され、再度、増し締め部が増し締め方向に引っ張られることによりバンド部を再度増し締め方向に送ることができるように構成されている。このように構成すれば、増し締め部と頭部本体との接続を維持した状態で繰り返し増し締めを行うことができるので、増し締め部を頭部本体の近傍に配置しながら任意の増し締め量で増し締めを行うことができる。
【発明の効果】
【００２１】
本発明によれば、上記のように、結束バンドの構造が複雑になるのを抑制しながら、バンド部を容易に増し締めすることができる。
【図面の簡単な説明】
【００２２】
【図１】本発明の第１実施形態による結束バンドの全体構成を示した斜視図である。
【図２】本発明の第１実施形態による結束バンドの頭部を拡大した図である。
【図３】本発明の第１実施形態による結束バンドの頭部の断面図である。
【図４】本発明の第１実施形態によるバンド部が送られる際の頭部を示した断面図である。
【図５】本発明の第１実施形態によるバンド部を増し締めする前の頭部の状態を示した断面図である。
【図６】本発明の第１実施形態によるバンド部を増し締めする際の頭部の状態を示した断面図である。
【図７】本発明の第１実施形態によるバンド部を増し締した後の頭部の状態を示した断面図である。
【図８】図５の５００−５００線に沿った断面図である。
【図９】本発明の第２実施形態による結束バンドの頭部を拡大した図である。
【図１０】本発明の第２実施形態による結束バンドの頭部の断面図である。
【図１１】本発明の第２実施形態によるバンド部を増し締めする前の頭部の状態を示した斜視図である。
【図１２】本発明の第２実施形態によるバンド部を増し締めした後の頭部の状態を示した断面図である。
【図１３】本発明の第３実施形態による結束バンドの頭部を拡大した図である。
【図１４】本発明の第３実施形態による結束バンドの頭部の断面図である。
【図１５】本発明の第３実施形態によるバンド部を増し締めする際の頭部の状態を示した断面図である。
【図１６】本発明の第３実施形態による増し締め部を増し締め方向と反対方向に戻す際の頭部の状態を示した断面図である。
【図１７】図１５の６００−６００線に沿った断面図である。
【発明を実施するための形態】
【００２３】
（第１実施形態）
図１〜図８を参照して、本発明の第１実施形態による結束バンド１００の構成について説明する。
【００２４】
本発明の第１実施形態による結束バンド１００は、図１に示すように、電子機器のケーブルなどの結束に用いられる。具体的には、結束バンド１００は、バンド部１１と、バンド部１１の長手方向の一方端に設けられている尾部２１と、バンド部１１の長手方向の他方端に設けられている頭部３１とを備えている。また、バンド部１１と、尾部２１と、頭部３１とは、ナイロン（登録商標）（ポリアミド系合成繊維）により一体的に形成されている。これにより、バンド部１１と尾部２１と頭部３１とを、容易に一体的に形成することが可能である。また、結束バンド１００は、全体が撓み変形可能なように構成されている。
【００２５】
バンド部１１は、図１に示すように、細長形状を有している。バンド部１１は、撓み変形可能なように構成されている。また、バンド部１１のＸ方向の幅は、図２に示すように、後述する増し締め部３３の孔部３３１よりも小さい幅を有している。また、バンド部１１の表面１１ｂには、バンド爪１１ａが設けられていない。また、バンド部１１の表面１１ｂは平坦形状を有している。また、バンド部１１の裏面１１ｃには、複数のバンド爪１１ａ（図３参照）が設けられている。
【００２６】
複数のバンド爪１１ａは、図３に示すように、それぞれ、バンド部１１の長手方向（Ｙ方向）に沿って一定の間隔で設けられている。また、バンド爪１１ａは、鋸波形状（略直角三角形形状）の断面を有している。バンド爪１１ａは、図３〜図５に示すように、バンド部１１の送り方向（Ｚ１方向）に直交するロック面１１ｄと、ロック面１１ｄに対して傾斜した傾斜面１１ｅとを有する。また、バンド爪１１ａのロック面１１ｄは、高さｈ（図４参照）を有する。
【００２７】
尾部２１は、図１に示すように、バンド部１１の一端側（Ｙ２方向側）から延びるように形成されている。尾部２１は、バンド部１１を後述する頭部本体３２の孔部３２１および増し締め部３３の孔部３３１（図３参照）に通しやすくするために設けられている。尾部２１は、平面的に見て、先端が丸形形状を有するように構成されている。尾部２１は、撓み変形可能なように構成されている。尾部２１は、バンド部１１よりも小さい厚みを有している。尾部２１のＸ方向の幅は、図２に示すように、後述する増し締め部３３の孔部３３１よりも小さい幅を有している。また、尾部２１には、バンド爪１１ａは設けられていない。
【００２８】
ここで、本実施形態では、頭部３１には、図２〜図７に示すように、バンド部１１を固定する頭部本体３２と、バンド部１１を増し締め方向に送る増し締め部３３と、頭部本体３２と増し締め部３３とを接続する接続部３４とが設けられている。頭部３１は、全体として略直方体形状を有している。なお、接続部３４は、本発明の「第１接続部」の一例である。
【００２９】
頭部本体３２には、図３に示すように、バンド部１１が通される孔部３２１と、バンド部１１のバンド爪１１ａに係合してバンド部１１を固定するロック爪３２２とが設けられている。
【００３０】
孔部３２１は、図３に示すように、バンド部１１の増し締め方向（Ｚ１方向）に沿って形成されている。孔部３２１の内周面３２１ａの下面３２１ｂは、図４に示すように、バンド部１１が孔部３２１に通された状態で、バンド部１１の表面１１ｂと接触するように構成されている。また、孔部３２１の内周面３２１ａの下面３２１ｂは、バンド部１１の表面１１ｂに対して摺動可能に構成されている。
【００３１】
ロック爪３２２は、図３〜図５に示すように、孔部３２１の内周面３２１ａの下面３２１ｂ側（Ｙ２方向側）に突出するように形成されている。また、ロック爪３２２には、爪部３２２ａが３つ設けられている。また、爪部３２２ａは、図５に示すように、バンド部１１のバンド爪１１ａの形状に対応する鋸波形状（略直角三角形形状）に形成されている。具体的には、爪部３２２ａは、バンド部１１の送り方向（Ｚ１方向）に直交するロック面３２２ｂと、ロック面３２２ｂに対して傾斜した傾斜面３２２ｃとを有する。また、３つの爪部３２２ａは、それぞれ、バンド部１１のバンド爪１１ａに係合するように構成されている。
【００３２】
ロック爪３２２は、図５および図７に示すように、バンド爪１１ａに係合することによりバンド部１１の増し締め方向と反対方向（Ｚ２方向）にバンド部１１が移動するのを規制して、バンド部１１を頭部本体３２に対して固定するように構成されている。また、ロック爪３２２は、爪部３２２ａのロック面３２２ｂがバンド爪１１ａのロック面１１ｄに係合するように構成されている。また、ロック爪３２２には、ロック爪３２２の根元部分に撓み変形可能な薄肉部３２２ｄが形成されている。また、ロック爪３２２は、図６に示すように、バンド部１１が増し締め方向（Ｚ１方向）に移動する際には、薄肉部３２２ｄが撓み変形されて、バンド爪１１ａの高さｈだけ上側（Ｙ１方向側）に回動されるように構成されている。また、ロック爪３２２は、バンド部１１が増し締め方向（Ｚ１方向）に移動する際には、ロック爪３２２の傾斜面３２２ｃがバンド爪１１ａの傾斜面１１ｅに沿って移動することにより撓み変形するように構成されている。
【００３３】
また、図２〜図７に示すように、頭部本体３２には、増し締め部３３の増し締め方向の後ろ（Ｚ２方向）の面をユーザの指が当接可能なように露出させる開口部３２３が設けられている。開口部３２３は、頭部本体３２の上側（Ｙ１方向側）に設けられている。
【００３４】
増し締め部３３には、図３に示すように、バンド部１１が通される孔部３３１と、バンド部１１のバンド爪１１ａに係合してバンド部１１を増し締め方向に送る送り爪３３２とが設けられている。増し締め部３３は、接続部３４を介して、頭部本体３２に一体的に設けられている。増し締め部３３は、図６および図７に示すように、頭部本体３２に切断可能に接続されている。増し締め部３３は、頭部本体３２に対して増し締め方向に引っ張られることにより頭部本体３２から切断されて、バンド部１１を増し締め方向（Ｚ１方向）に送るように構成されている。また、増し締め部３３は、バンド部１１を増し締め方向に任意の分量だけ送ることが可能なように構成されている。増し締め部３３は、図３に示すように、バンド部１１の増し締め方向（Ｚ１方向）における頭部本体３２の前側（Ｚ１方向）の位置に設けられている。
【００３５】
孔部３３１は、図３に示すように、バンド部１１の増し締め方向（Ｚ１方向）に沿って形成されている。孔部３３１の内周面３３１ａの下面３３１ｂは、図４に示すように、バンド部１１が孔部３３１に通された状態で、バンド部１１の表面１１ｂと接触するように構成されている。また、孔部３３１の内周面３３１ａの下面３３１ｂは、バンド部１１の表面１１ｂに対して摺動可能に構成されている。
【００３６】
送り爪３３２は、図３〜図５に示すように、増し締め部３３に一体的に設けられている。また、送り爪３３２は、バンド部１１の増し締め方向（Ｚ１方向）における頭部本体３２のロック爪３２２の前側（Ｚ１方向側）の位置に設けられている。また、送り爪３３２は、孔部３３１の内周面３３１ａの上面３３１ｃから孔部３３１の内周面３３１ａの下面３３１ｂ側（Ｙ２方向側）に突出するように形成されている。また、送り爪３３２には、爪部３３２ａが２つ設けられている。爪部３３２ａは、バンド部１１のバンド爪１１ａの形状に対応する鋸波形状（略直角三角形形状）に形成されている。具体的には、爪部３３２ａは、バンド部１１の送り方向（Ｚ１方向）に直交する送り面３３２ｂと、送り面３３２ｂに対して傾斜した傾斜面３３２ｃとを有する。２つの爪部３３２ａは、それぞれ、バンド部１１のバンド爪１１ａに係合するように構成されている。また、送り爪３３２の爪部３３２ａは、ロック爪３２２の爪部３２２ａと略同一の形状を有している。
【００３７】
送り爪３３２は、図５に示すように、爪部３３２ａの送り面３３２ｂがバンド爪１１ａのロック面１１ｄに係合するように構成されている。また、送り爪３３２には、送り爪３３２の根元部分に撓み変形可能な薄肉部３３２ｄが形成されている。また、送り爪３３２は、図４に示すように、増し締め部３３が頭部本体３２に接続された状態でバンド部１１が増し締め部３３に対して相対的に増し締め方向（Ｚ１方向）に移動する際には、送り爪３３２の傾斜面３３２ｃがバンド爪１１ａの傾斜面１１ｅに沿って移動するように構成されている。また、送り爪３３２は、バンド部１１が増し締め部３３に対して相対的に増し締め方向（Ｚ１方向）に移動する際には、薄肉部３３２ｄが撓み変形されて、バンド爪１１ａの高さｈだけ上側（Ｙ１方向側）に回動されるように構成されている。
【００３８】
また、送り爪３３２は、図５〜図７に示すように、増し締め部３３が頭部本体３２から切断されて頭部本体３２に対して増し締め方向（Ｚ１方向）に引っ張られることによりバンド部１１を増し締め方向に送るように構成されている。詳細には、送り爪３３２は、送り爪３３２の送り面３３２ｂがバンド爪１１ａのロック面１１ｄに係合してバンド部１１を増し締め方向に送るように構成されている。また、送り爪３３２は、頭部本体３２に対して相対的にバンド部１１の増し締め方向（Ｚ１方向）に移動される際には、バンド部１１のバンド爪１１ａと係合して共に増し締め方向に移動されるように構成されている。
【００３９】
接続部３４は、図２〜図７に示すように、頭部本体３２と増し締め部３３との間に設けられている。また、接続部３４は、図８に示すように、２つ設けられている。また、接続部３４は、頭部３１の左右方向（Ｘ方向）の両端部に設けられている。また、２つの接続部３４は、バンド部１１を挟むようにバンド部１１に対して対称に設けられている。これにより、２つの接続部３４には、増し締め部３３を頭部本体３２から切断する際に、接続部３４を切断する力がバンド部１１を引っ張る方向（Ｚ１方向）に均等に働く。また、接続部３４は、薄肉形状に形成されている。接続部３４は、図５に示すように、バンド部１１の増し締め方向（Ｚ１方向）において、バンド部１１の１つのバンド爪１１ａの長さＬ１よりも小さい長さＬ２を有する。接続部３４は、図６および図７に示すように、増し締め部３３が増し締め方向（Ｚ１方向）に引っ張られる際に、増し締め部３３が頭部本体３２から完全に分離するように頭部本体３２から切断されるように構成されている。
【００４０】
次に、図４〜図７を参照して結束バンド１００の増し締め手順について説明する。まず、図４および図５に示すように、頭部本体３２および増し締め部３３にＺ２方向からＺ１方向に向けてバンド部１１を通す。これにより、ロック爪３２２の爪部３２２ａおよび送り爪３３２の爪部３３２ａがバンド爪１１ａに係合されてバンド部１１が固定される。この状態で、図６に示すように、バンド部１１自体を切断することなく増し締め部３３を増し締め方向（Ｚ１方向）に引っ張って頭部本体３２から切断する。この際、ユーザは指を開口部３２３に挿入することにより増し締め部３３を容易に把持することが可能である。そして、増し締め部３３を把持した状態で頭部本体３２に対して増し締め方向に引っ張ることにより、バンド部１１が増し締め方向に送られる。この際、バンド部１１のバンド爪１１ａは、増し締め部３３の送り爪３３２に係合された状態で増し締め方向に送られる。また、バンド部１１が１個のバンド爪１１ａの長さＬ１分だけ増し締め方向に送られる毎に、ロック爪３２２の薄肉部３２２ｄが撓み変形されて一時的にロック爪３２２とバンド爪１１ａとの係合が解除される。また、図７に示すように、バンド部１１が１個のバンド爪１１ａの長さＬ１分だけ増し締め方向（Ｚ１方向）に送られた後、ロック爪３２２は撓み変形する前の位置に戻される。そして、一時的に係合が解除されていたロック爪３２２とバンド爪１１ａとが再度係合される。これにより、増し締め部３３を引っ張った分量だけバンド部１１は任意の締め付け力で増し締めされる。
【００４１】
第１実施形態では、上記のように、頭部本体３２に切断可能に接続するとともに、頭部本体３２に対して増し締め方向に引っ張られることにより頭部本体３２から切断されてバンド部１１を増し締め方向に送る増し締め部３３を設けることによって、増し締め時に、増し締め部３３を増し締め方向に引っ張って頭部本体３２から切断するだけでバンド部１１を増し締め方向に移動させることができるので、バンド部１１を容易に増し締めすることできる。また、バンド部１１を増し締め方向に送る増し締め部３３を頭部本体３２に切断可能に接続するだけの簡易な構造によりバンド部１１を増し締めすることができるので、バンド部１１を増し締めするために、結束バンド１００の構造が複雑になるのを抑制することができる。したがって、この結束バンド１００では、構造が複雑になるのを抑制しながら、バンド部１１を容易に増し締めすることができる。  
【００４２】
第１実施形態では、上記のように、増し締め部３３を、切断可能な接続部３４を介して頭部本体３２に一体的に設けることによって、増し締め部３３を頭部本体３２と別個に設ける場合とは異なり、部品点数の増加を抑制することができる。
【００４３】
第１実施形態では、上記のように、切断可能な接続部３４を、薄肉形状に形成することによって、増し締め部３３を引っ張ることにより、薄肉形状の接続部３４を容易に切断することができるので、容易にバンド部１１を任意の締め付け力で増し締めすることができる。
【００４４】
第１実施形態では、上記のように、接続部３４を、増し締め部３３を増し締め方向に引っ張る際に、増し締め部３３が頭部本体３２から完全に分離するように頭部本体３２から切断するように構成することによって、頭部本体３２に対する増し締め部３３の移動量を容易に大きくすることができるので、バンド部１１の増し締め量を容易に大きくすることができる。
【００４５】
第１実施形態では、上記のように、バンド部１１を挟むようにバンド部１１に対して対称に接続部３４を設けることによって、増し締め部３３を頭部本体３２から切断する際にバンド部１１を引っ張る方向の力を加えた場合に、バンド部１１を挟むように対称配置された接続部３４にバンド部１１を引っ張る方向に均等に切断力が働くので、容易に接続部３４を切断することができる。
【００４６】
第１実施形態では、上記のように、バンド部１１の増し締め方向において、バンド部１１のバンド爪１１ａの長さよりも小さい長さを有するように接続部３４をように構成することによって、接続部３４の長さが小さくなるので、増し締め部３３を引っ張った際に接続部３４が切断されるまで接続部３４の伸び量を小さくすることができるので、増し締め部３３を頭部本体３２から切断する際に増し締め部３３を頭部本体３２に対して少しの量引っ張るだけで容易に切断することができる。
【００４７】
第１実施形態では、上記のように、バンド部１１の増し締め方向における頭部本体３２の前側の位置に増し締め部３３を設けることによって、頭部本体３２に対して増し締め部３３を増し締め方向に容易に引っ張ることができるので、容易に任意の締め付け力で増し締めすることができる。
【００４８】
第１実施形態では、上記のように、増し締め部３３の増し締め方向の後ろの面をユーザの指が当接可能なように露出させる開口部３２３を頭部本体３２に設けることによって、ユーザは開口部３２３に指を挿入して増し締め部３３を容易に把持することができるので増し締め部３３をより容易に引っ張ることができる。
【００４９】
第１実施形態では、上記のように、バンド爪１１ａと係合する増し締め部３３を設けるとともに、頭部本体３２に対して増し締め方向に引っ張られることによりバンド部１１を増し締め方向に送る送り爪３３２を設けることによって、増し締め部３３の送り爪３３２をバンド部１１のバンド爪１１ａに係合させて確実にバンド部１１を増し締め方向に送ることができる。
【００５０】
第１実施形態では、上記のように、頭部本体３２のロック爪３２２および増し締め部３３の送り爪３３２に、それぞれ、爪部３２２ａおよび爪部３３２ａを設け、送り爪３３２の爪部３３２ａおよびロック爪３２２の爪部３２２ａを互いに略同一の爪形状に形成することによって、送り爪３３２の爪部３２２ａをバンド部１１のバンド爪１１ａに容易に係合させることができるので、容易に、増し締め部３３の送り爪３３２をバンド部１１のバンド爪１１ａに係合させて確実にバンド部１１を増し締め方向に送ることができる。
【００５１】
（第２実施形態）
以下、図９〜図１２を参照して、本発明の第２実施形態による結束バンド２００の構成について説明する。この第２実施形態では、第１実施形態と異なり、バンド部２１１が、表面２１１ｂおよび裏面２１１ｃの両面にそれぞれ複数のバンド爪２１１ａを含む構成について説明する。
【００５２】
図１１および図１２に示すように、第２実施形態による結束バンド２００では、バンド部２１１は、頭部２３１の後述する孔部２３２ａおよび孔部２３３ａに挿入された場合に、バンド部２１１の表面２１１ｂおよび裏面２１１ｃの両面から後述する送り爪３３２ｅとロック爪３２２とによって挟まれるように構成されている。また、図９および図１０に示すように、バンド部２１１の表面２１１ｂには、複数のバンド爪２１１ａが設けられている。また、図１０に示すように、バンド部２１１の裏面２１１ｃには、複数のバンド爪２１１ａが設けられている。バンド部２１１の表面２１１ｂおよびバンド部２１１の裏面２１１ｃには、互いに、同一形状の複数のバンド爪２１１ａが設けられている。
【００５３】
頭部２３１には、図１０に示すように、頭部本体２３２と増し締め部２３３とが設けられている。また、頭部本体２３２には、バンド部２１１が通される孔部２３２ａが設けられている。孔部２３２ａは、バンド部２１１の増し締め方向（Ｚ１方向）に沿って形成されている。孔部２３２ａの後側（Ｚ２方向側）の端部には、ロック爪３２２が設けられている。ロック爪３２２は、図１１および図１２に示すように、バンド部２１１の裏面２１１ｃのバンド爪２１１ａに係合するように構成されている。ロック爪３２２の構成は、上記第１実施形態と同様であるので説明を省略する。
【００５４】
また、増し締め部２３３には、図１０に示すように、バンド部２１１が通される孔部２３３ａが設けられている。孔部２３３ａは、バンド部２１１の増し締め方向（Ｚ１方向）に沿って形成されている。孔部２３３ａは、増し締め方向（Ｚ方向）から見て頭部本体２３２の孔部２３２ａと略同一形状の断面を有している。また、孔部２３３ａの前側（Ｚ１方向側）の端部には、送り爪３３２ｅが設けられている。
【００５５】
送り爪３３２ｅは、図１０〜図１２に示すように、孔部２３３ａの内周面２３３ｂの下面２３３ｃから孔部２３３ａの内周面２３３ｂの上面２３３ｄ側（Ｙ１方向側）に突出するように形成されている。送り爪３３２ｅは、図１１および図１２に示すように、バンド部２１１の表面２１１ｂのバンド爪２１１ａに係合するように構成されている。また、バンド部２１１のバンド爪２１１ａは、図１１および図１２に示すように、ロック爪３２２と送り爪３３２ｅとによって、バンド部２１１の両面（２１１ｂ、２１１ｃ）を挟まれるように係合される。
【００５６】
送り爪３３２ｅには、図１０〜図１２に示すように、２つの爪部３２２ｆが設けられている。爪部３２２ｆは、バンド部２１１の表面２１１ｂのバンド爪２１１ａの形状に対応する鋸波形状（略直角三角形形状）に形成されている。具体的には、爪部３２２ｆは、バンド部２１１の送り方向（Ｚ１方向）に直交する送り面３３２ｇと、送り面３３２ｇに対して傾斜した傾斜面３３２ｈとを有している。２つの爪部３３２ｆは、図１１および図１２に示すように、それぞれ、バンド部２１１のバンド爪２１１ａに係合するように構成されている。送り爪３３２ｅは、爪部３２２ｆの送り面３２２ｇがバンド爪２１１のロック面２１１ｄに係合するように構成されている。
【００５７】
また、送り爪３３２ｅは、図１２に示すように、増し締め部２３３が頭部本体２３２に対して増し締め方向（Ｚ１方向）に引っ張られることにより増し締め部２３３が頭部本体２３２から切断されて、バンド部２１１を増し締め方向に送るように構成されている。また、増し締め部２３３は、バンド部２１１を増し締め方向に任意の分量だけ送ることが可能なように構成されている。また、送り爪３３２ｅは、送り爪３３２ｅの送り面３２２ｇがバンド爪２１１のロック面２１１ｄに係合してバンド部２１１を増し締め方向に送るように構成されている。また、送り爪３３２ｅは、増し締め部２３３が頭部本体２３２に対してバンド部２１１の増し締め方向に引っ張られる際には、バンド部２１１のバンド爪２１１ａと係合して共に任意の分量だけ増し締め方向に移動されるように構成されている。
【００５８】
また、頭部２３１が形成される際には、ロック爪３２２の前部に当接される金型（図示せず）を設けるとともに、送り爪３３２ｅの後部に当接される金型（図示せず）を設ける。これにより、頭部２３１を形成することが可能である。この際、金型を、それぞれ、Ｚ方向に引き抜くことにより頭部２３１に孔部２３２ａおよび孔部２３３ａが形成される。これにより、結束バンド２００が形成される際、金型の抜き方向が１方向（Ｚ方向）だけであるため、結束バンド２００の金型の構成および結束バンド２００の製造工程を単純化することが可能である。
【００５９】
なお、第２実施形態のその他の構成は、上記第１実施形態と同様である。
【００６０】
第２実施形態では、上記のように、バンド部２１１の両面にそれぞれ複数のバンド爪２１１ａを設け、バンド部２１１を挟むようにバンド部２１１の両面のそれぞれの面に係合するように、送り爪３３２ｅとロック爪３２２とを、それぞれ、増し締め部２３３と頭部本体２３２とに設けることによって、バンド部２１１の両面にバンド爪２１１ａを設けた構成において、バンド部２１１を任意の締め付け力で容易に増し締めすることできる。
【００６１】
なお、第２実施形態のその他の効果は、上記第１実施形態と同様である。
【００６２】
（第３実施形態）
以下、図１３〜図１７を参照して、本発明の第３実施形態による結束バンド３００の構成について説明する。
【００６３】
この第３実施形態では、第１実施形態と異なり、増し締め後も頭部本体３２と増し締め部３３３との接続状態が維持されるように構成された結束バンド３００について説明する。なお、ロック爪３２２の構成は、上記第１実施形態と同様であるので説明を省略する。
【００６４】
図１３〜図１６に示すように、第３実施形態による結束バンド３００では、頭部３３０には頭部本体３２と増し締め部３３３とが設けられている。また、頭部本体３２と増し締め部３３３との間には、図１３に示すように、２つの第１接続部３３４ａが設けられている。第１接続部３３４ａは、図１５および図１６に示すように、増し締め部３３３が増し締め方向（Ｚ１方向）に引っ張られる際には、増し締め部３３３が頭部本体３２から完全に分離するように頭部本体３２から切断される。
【００６５】
また、図１４〜図１６に示すように、頭部本体３２と増し締め部３３３との間には、頭部本体３２と増し締め部３３３との接続が維持されるように第２接続部３３４ｂが設けられている。第２接続部３３４ｂは、増し締め部３３３が引っ張られることにより第１接続部３３４ａが頭部本体３２から切断された際に、頭部本体３２と増し締め部３３３との接続を維持するように構成されている。第２接続部３３４ｂは、図１７に示すように、Ｘ方向において、第１接続部３３４ａのＸ方向の幅Ｗ２の２倍以上の大きさの幅Ｗ１を有している。また、第２接続部３３４ｂは、Ｙ方向において、第１接続部３３４ａのＹ方向の厚みｔ２と略同じ大きさの厚みｔ１を有している。これにより、第２接続部３３４ｂは、第１接続部３３４ａより大きい断面積を有する。
【００６６】
また、増し締め部３３３が増し締め方向（Ｚ１方向）に引っ張られる際には、第２接続部３３４ｂは、増し締め部３３３が頭部本体３２から分離しないように頭部本体３２との接続を維持するように構成されている。これにより、増し締め部３３３を引っ張った場合には、第１接続部３３４ａだけが切断されて第２接続部３３４ｂが切断されないので、増し締め部３３３は第２接続部３３４ｂを回動中心として回動される。すなわち、増し締め部３３３は、頭部本体３２に対して部分的に切断される。これにより、増し締め部３３３は、増し締め後も頭部本体３２の近傍に配置される。
【００６７】
また、送り爪３３２ｊは、図１５および図１６に示すように、増し締め部３３３が回動されて、増し締め部３３３が頭部本体３２に対して斜め下方向に引っ張られることによりバンド部１１を増し締め方向（Ｚ１方向）に送るように構成されている。また、送り爪３３２ｊには、爪部３３２ｋが２つ設けられている。爪部３３２ｋは、バンド部１１のバンド爪１１ａの形状に対応する鋸歯形状（略直角三角形形状）に形成されている。具体的には、爪部３３２ｋは、バンド部１１の送り方向（Ｚ１方向）に直交する送り面３３２ｌと、送り面３３２ｌに対して傾斜した傾斜面３３２ｍとを有している。また、送り爪３３２ｊは、送り爪３３２ｊの送り面３３２ｌがバンド爪１１ａのロック面１１ｄに係合してバンド部１１を増し締め方向に送るように構成されている。また、送り爪３３２ｊは、頭部本体３２に対して相対的にバンド部１１の増し締め方向（Ｚ１方向）に移動される際には、バンド部１１のバンド爪１１ａと係合して共に移動されるように構成されている。送り爪３３２ｊは、増し締め部３３３が頭部本体３２から分離しないように第２接続部３３４ｂが頭部本体３２との接続を維持した状態で増し締め方向（Ｚ１方向）に引っ張られる際には、バンド部１１のバンド爪１１ａと係合してバンド部１１を増し締め方向に送るように構成されている。
【００６８】
送り爪３３２ｊは、図１６に示すように、バンド部１１の増し締め後に、ユーザにより増し締め部３３３が元の位置に戻される際には、バンド爪１１ａとの係合が解除されて増し締め方向と反対方向に移動されるように構成されている。また、送り爪３３２ｊには、送り爪３３２ｊの根元部分に撓み変形可能な薄肉部３３２ｎが設けられている。
【００６９】
送り爪３３２ｊは、図１６に示すように、増し締め部３３３が頭部本体３２から分離しないように第２接続部３３４ｂが頭部本体３２との接続を維持した状態でバンド部１１の増し締め方向と反対方向（Ｚ２方向）に移動する際には、薄肉部３３２ｎが撓み変形されて、バンド爪１１ａの高さｈだけ上側（Ｙ１方向側）に回動されるように構成されている。また、送り爪３３２ｊは、増し締め部３３３が増し締め方向と反対方向（Ｚ２方向）に移動する際には、送り爪３３２ｊの薄肉部３３２ｎが撓み変形することによりバンド部１１に対して離間する方向（Ｙ１方向）に移動してバンド爪１１ａとの係合が解除されるように構成されている。また、送り爪３３２ｊは、増し締め部３３３が増し締め方向と反対方向（Ｚ２方向）に移動する際には、送り爪３３２ｊの傾斜面３３２ｍがバンド爪１１ａの傾斜面１１ｅに沿って移動することにより撓み変形するように構成されている。
【００７０】
また、元の位置に移動された送り爪３２２ｊは、図１５に示すように、再度、頭部本体３２に対してバンド部１１の増し締め方向（Ｚ１方向）に移動可能なように構成されている。バンド部１１の増し締め方向（Ｚ１方向）に再度移動された送り爪３３２ｊは、バンド部１１を再度増し締め方向に送ることが可能なように構成されている。
【００７１】
なお、第３実施形態のその他の構成は、上記第１実施形態と同様である。
【００７２】
第３実施形態では、上記のように、頭部本体３２に切断可能に接続するとともに、頭部本体３２に対して増し締め方向に引っ張られることにより頭部本体３２から切断されてバンド部１１を増し締め方向に送る増し締め部３３３を設けることによって、増し締め時に、増し締め部３３３を増し締め方向に引っ張って頭部本体３２から部分的に切断するだけでバンド部１１を増し締め方向に移動させることができるので、バンド部１１を容易に増し締めすることできる。また、バンド部１１を増し締め方向に送る増し締め部３３３を頭部本体３２に切断可能に接続するだけの簡易な構造によりバンド部１１を増し締めすることができるので、バンド部１１を増し締めするために、結束バンド３００の構造が複雑になるのを抑制することができる。したがって、この結束バンド３００では、構造が複雑になるのを抑制しながら、バンド部１１を容易に増し締めすることができる。
【００７３】
第３実施形態では、上記のように、増し締め部３３３は、切断可能な第１接続部３３４ａと第１接続部３３４ａよりも断面積が大きい第２接続部３３４ｂとを介して頭部本体３２に接続されており、増し締め部３３３は、増し締め部３３３が増し締め方向に引っ張られる際に、第１接続部３３４ａが頭部本体３２から切断されるとともに第２接続部３３４ｂが頭部本体３２との接続を維持することによって、増し締め部３３３は頭部本体３２に部分的に接続された状態となるように構成することによって、増し締め部３３３と頭部本体３２との接続を維持する第２接続部３３４ｂにより、増し締め部３３３を引っ張った際の頭部本体３２に対する増し締め部３２の１回の移動量を制限してバンド部１１を増し締め方向に送ることができるので、増し締め量の微調整を容易に行うことができる。また、第２接続部３３４ｂにより増し締め部３３３と頭部本体３２との接続が維持されるので、増し締め部３３３が頭部本体３２から大きく離間するのが抑制されて増し締め後も増し締め部３３３を頭部本体３２の近傍に配置することができる。
【００７４】
第３実施形態では、上記のように、バンド爪１１ａと係合しバンド部１１を増し締め方向に送る送り爪３３２ｊを増し締め部３３３に設けるとともに、撓み変形可能な薄肉部３３２ｎを、送り爪３３２ｊに設け、送り爪３３２ｊは、増し締め部３３３が頭部本体３２から分離しないように第２接続部３３４ｂが頭部本体３２との接続を維持した状態で増し締め方向に引っ張られる際には、バンド部１１のバンド爪１１ａと係合してバンド部１１を増し締め方向に送るとともに、増し締め部３３３が頭部本体３２から分離しないように第２接続部３３４ｂが頭部本体３２との接続を維持した状態で増し締め方向と反対方向に移動する際には、薄肉部３３２ｎが撓み変形することによりバンド部１１のバンド爪１１ａとの係合を解除してバンド部１１の増し締め方向と反対方向に移動し、再度、増し締め部３３３を増し締め方向に引っ張ることによりバンド部１１を再度増し締め方向に送ることができるように構成することによって、増し締め部３３３と頭部本体３２との接続を維持した状態で繰り返し増し締めを行うことができるので、増し締め部３３３を頭部本体３２の近傍に配置しながら任意の増し締め量で増し締めを行うことができる。
【００７５】
なお、第３実施形態のその他の効果は、上記第１実施形態と同様である。
【００７６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７７】
また、上記第１〜第３実施形態では、送り爪の爪部を、２つ設けた例を示したが、本発明はこれに限られない。本発明では、１つ、または、３つ以上の送り爪の爪部を設けてもよい。
【００７８】
また、上記第１〜第３実施形態では、ロック爪の爪部を、３つ設けた例を示したが、本発明はこれに限られない。本発明では、１つ、２つ、または、４つ以上のロック爪の爪部を設けてもよい。
【００７９】
また、上記第１〜第３実施形態では、切断される接続部を、２つ設けた例を示したが、本発明はこれに限られない。本発明では、１つ、または、３つ以上の第１接続部を設けてもよい。
【００８０】
また、上記第３実施形態では、第２接続部を、１つ設けた例を示したが、本発明はこれに限られない。本発明では、２つ以上の第２接続部を設けてもよい。
【００８１】
また、上記第１および第２実施形態では、第１接続部を、増し締め部のＸ方向の両端に、それぞれ、１つずつ設けた例を示したが、本発明はこれに限られない。本発明では、Ｙ方向の両端に、それぞれ、１つずつ設けてもよい。
【００８２】
また、上記第２実施形態では、ロック爪を頭部本体の孔部の内周面の上面に設けるとともに、送り爪を増し締め部の孔部の内周面の下面に設けた例を示したが、本発明はこれに限られない。本発明では、ロック爪を頭部本体の孔部の内周面の下面に設けるとともに、送り爪を増し締め部の孔部の内周面の上面に設けてもよい。
【００８３】
また、上記第３実施形態では、第２接続部を、第１接続部の幅よりも大きく形成した例を示したが、本発明はこれに限られない。本発明では、断面積が第１接続部よりも大きければ、第２接続部を第１接続部の厚みよりも大きい厚みにして第１接続部の幅よりも小さい幅にしてもよい。
【００８４】
また、上記第１〜第３実施形態では、結束バンドを、ナイロン（登録商標）（ポリアミド系合成繊維）により構成する例を示したが、本発明はこれに限られない。本発明では、結束バンドをナイロン（登録商標）以外の材料の、たとえば、ポリエステル等のバンド全体を撓ませられる材料により構成してもよい。
【符号の説明】
【００８５】
１１、２１１  バンド部
１１ａ、２１１ａ  バンド爪
３１、２３１、３３０  頭部
３２、２３２  頭部本体
３３、２３３、３３３  増し締め部
３４  接続部（第１接続部）
１００、２００、３００  結束バンド
３２２  ロック爪
３２２ａ  爪部
３２３  開口部
３３２、３３２ｅ、３３２ｊ  送り爪
３３２ａ、３３２ｆ、３３２ｋ  爪部
３３２ｄ、３３２ｎ  薄肉部
３３４ａ  第１接続部
３３４ｂ  第２接続部
【図１】
2013113330.tif 000003
【図２】
2013113330.tif 000004
【図３】
2013113330.tif 000005
【図４】
2013113330.tif 000006
【図５】
2013113330.tif 000007
【図６】
2013113330.tif 000008
【図７】
2013113330.tif 000009
【図８】
2013113330.tif 000010
【図９】
2013113330.tif 000011
【図１０】
2013113330.tif 000012
【図１１】
2013113330.tif 000013
【図１２】
2013113330.tif 000014
【図１３】
2013113330.tif 000015
【図１４】
2013113330.tif 000016
【図１５】
2013113330.tif 000017
【図１６】
2013113330.tif 000018
【図１７】
2013113330.tif 000019